(57)【要約】高出力ガス放電ランプ用電気制御器で、これは濾光回路、整流回路、出力係数切替回路、駆動逆変換部および出力制御回路、起動開始保護回路、出力調和回路および付帯出力供給回路から構成され、これらは順番に連結される。複数レベルの共通モード、様々なモードの濾光板を採用して、濾光回路が電磁気両立標準に任されるとともに外部回路からの制御に対する干渉を減らす。本発明は３個の集積回路を要するとともに、この点がこれを高度な集積とより少ない部品数で、単純な回路かつ低コストにし、集積ブロック部用の電力を供給する付帯出力供給回路が変圧器と電圧調整管を通過する電気の供給後に作動し、これによって高度な安定性と信頼性を持つ。切替管Ｑ３を動かす集積ブロックＩＣ２によって。駆動回路は単純となり、変形が少なくなる。本発明は一定の電流、一定の電圧、一定の出力で動かすことが可能であるとともに、短回路、開放回路および異常条件下で着実に作動する能力を有している。本発明は特に高出力ガス放電ランプに応用されるのに適しているとともに、高出力係数、長寿命および高い照明品質を有する。
2006528406.tif 000002
【特許請求の範囲】
【請求項１】
濾光回路、整流回路、出力係数切替回路、駆動逆変換部および出力制御回路、起動開始保護回路、順番に連結される出力調和回路および付帯出力供給回路から構成される高出力ガス放電ランプ電気制御器で、
該特色が、出力係数切替回路がそれぞれ切替管Ｑ１および該誘電子Ｌ４に連結する厚膜集積ブロックＩＣ１によって形成されることにあり、切替管Ｑ１がダイオードＤ２および抵抗Ｒ４，Ｒ３と連結され、
出力逆変換制御の前記駆動回路部が、抵抗Ｒ４、Ｒ３および電圧調整管ＺＤ３と連結される切替管Ｑ３と連結する厚膜集積回路ＩＣ２、電圧制御管ＺＤ１，ＺＤ２、抵抗Ｒ９，Ｒ１０、変圧器Ｔ２および静電容量Ｃ８と連結される切替管Ｑ２によって形成され、前記起動保護回路が、静電容量Ｃ１０、シリコン制御ＳＣＲ、ダイオードＤ４、静電容量Ｃ９、Ｃ１１、誘電子Ｌ５および継電器ＪＴと連結する厚膜集積回路ＩＣ３によって形成されるもの。
【請求項２】
濾光回路１が位相導体によってＬ端からＦＵ保護管に連結され、ＦＵ保護器の他端がＲ１，Ｃ１およびＬ１の第１端に連結され、ゼロ導体ＮがＲ１，Ｃ１およびＬ１の第３端に連結され、Ｌ１の第２端がＣ２およびＬ２の第１端に連結され、Ｃ２の他端はＬ１の第４端に連結され、Ｌ２の第２端がＣ３およびＬ３の第１端に連結され、Ｌ２の第４端はＣ４およびＬ３の第３端に連結され、Ｃ３の他端はＣ４の他端に連結されるとともにアースされる点に特色がある請求項１に述べられる電気制御器
【請求項３】
整流回路２が、Ｌ３の第２端がＲ２の１端および変圧器Ｔ１の第１端に連結され、Ｒ２の他端がＤ１の第１端に連結され、Ｄ１の第３端がＣ１３ｘ３の陰極に連結され、Ｄ１の第４端がＩＣ１の第２ピン等に連結され、Ｌ３の第４端がＤ１の第２端に連結され、ついで変圧器２の第２端に連結されることである点に特色がある請求項１に述べられる電気制御器
【請求項４】
出力係数切替回路３が、ＩＣ１の第１ピンがダイオードＤ２の陽極、Ｒ５およびＣ５の陽極に連結されるとともに、Ｑ２のＤ電極にも連結され、ＩＣ１の第２ピンがＣ６、Ｄ１の第４端およびＬ４の第１端に連結され、ＩＣ１の第４ピンはＲ３の他端に連結され、Ｑ１のＳ電極はＲ４の１端に連結され、Ｒ４の他端はＲ５の１端に連結され、Ｃ７の陰極はＲ６の１端に連結され、ＩＣ１の第７ピンはＲ１３等に連結され、Ｌ４の第２端はＤ２の陰極およびＱ１のＤ電極に連結されることである点に特色がある請求項１に述べられる電気制御器
【請求項５】
駆動逆変換部と出力制御回路４がＲ７の他端がＲ６、Ｒ４およびＲ５の他端、Ｃ７ｘ２の陰極、ＩＣ１の第３ピン、Ｌ４の第３端、Ｃ６の他端、電圧制御管ＺＤ４の陰極、Ｃ１３ｘ３およびＣ１８の陰極およびブリッジ整流器の第３端に連結され、ＩＣ２の第３ピンがＣ１４の他端、Ｒ６の他端、Ｔ２の第２端、Ｃ１８の陰極、Ｒ１１およびＺＤ３の陰極に連結され、Ｑ３のＳ電極およびＣ１５の１端が一緒に連結され、ＩＣ２の第２および第６ピンがＣ１８の陽極に連結され、ＩＣ２の第４ピンがＣ８に連結され、Ｃ８の他端がＴ２の第１端に連結され、ＩＣ２の第５端がＲ８に連結され、Ｒ８の他端がＲ１１に連結され、ＺＤ３の陽極およびＱ３のＧ電極、Ｔ２の第３端がＲ９に連結され、Ｒ９の他端がＲ１０およびＺＤ１の陽極およびＱ２のＧ電極に連結され、Ｔ２の第４端がＲ１０の他端、ＺＤ２の陽極、Ｑ２のＳ電極、Ｑ３のＤ電極、Ｃ１５およびＣ１２に連結され、ＺＤ１の陰極がＺＤ２の陰極に連結され、Ｑ２のＤ電極がＲ１２およびＤ２の陽極に連結されることから構成される点に特色がある請求項１に述べられる電気制御器
【請求項６】
起動保護回路５がＩＣ３の第１ピンがＳＣＲのＧ電極に連結され、ＩＣ３の第２ピンがＳＣＲのＴ電極、Ｃ９、Ｃ１１およびＪＴのＢ電極に連結され、ＩＣ３の第３ピンがＪＴのＧ電極およびＤ４の陽極に連結され、ＩＣ３の第４ピンがＪＴのＤ電極およびＤ４の陰極に連結され、またＳＣＲのＳ電極、Ｃ１０ｘ２の陰極、Ｒ９の他端、Ｌ５の第２および第４端に連結され、Ｌ５の第１端がＣ１１の他端に連結され、ＩＣ３の第５ピンがＣ１０ｘ２の陽極に連結され、ＩＣ３第６ピンがＣ１８の陽極等に連結され、ＪＴのＡ電極がＲ１２ｘ２に連結され、Ｒ１２の他端がＱ２のＤ電極、Ｄ２の陽極等に連結されることから構成される点に特色がある請求項１に述べられる電気制御器
【請求項７】
付帯出力供給回路６が、変圧器Ｔ１の第１端がＬ３およびＲ２の第２端に連結され、Ｔ１の第２端がＤ１の第２端およびＬ３の第４端に連結され、Ｔ１の第３端がブリッジ整流器Ｄ３の第２端に連結され、Ｔ１の第４端がＤ３の第１端、Ｄ３の第３端およびＤ１の第３端に連結され、Ｃ１３ｘ３およびＣ１８の陰極、電圧調整管ＺＤ４の陰極、ＩＣ１の第３ピン、Ｌ４の第３端、Ｒ４の陰極、Ｃ７ｘ２、Ｒ６、Ｒ７が一緒にアースルートに共通な事前位置を形成するよう連結され、Ｄ３の第４端がＲ１３に連結され、Ｒ１３の他端がＣ１３ｘ３の陽極、ＺＤ４の陽極、ＩＣ１の第７ピン、ＩＣ２の第２、第６ピンに連結され、ＩＣ３の第６ピンが低圧作動電力供給ルートを形成するよう一体に連結されることから構成される点に特色がある請求項１に述べられる電気制御器
【請求項８】
出力調和回路７が、Ｃ１２がＣ１５、Ｑ２のＳ電極、Ｑ３のＤ電極等に連結され、Ｃ１２の他の出力端がＩＤ電球に連結され、Ｌ５の第４端がＬ５の第２端、Ｃ９，ＳＣＲのＳ電極等に連結され、Ｌ５の第３出力端がＩＤ電球の他端に連結されることから構成される点に特色がある請求項１に述べられる電気制御器
【発明の詳細な説明】
【技術分野】
【０００１】
本発明は照明ランプ用の制御装置、高出力ガス放電ランプに関する。本発明は特に高出力、ジスプロシウム、インジュウム、無音、ナトリウム、金属ハロゲン化合物、電球、低温陰極発光管に応用されるのに特に適している。
【背景技術】
【０００２】
ガス放電ランプの定格電圧は一般に８０〜１５０ボルトであるが、供給電流は２２０ボルトである。利用には供給電流を２２０ボルトから８０〜１５０ボルトに下げる必要がある。同時に、電球には等価出力の減圧され、電流が限定されかつ保護的な装置が設けられねばならない。現在の所、誘電子低周波数チョークコイルの採用がせいぜいであるが、これは体積が大きく、重量も重く、ロスが大きく、出力係数が低く、騒音が大きく、干渉もひどく、照明品質が低く、しかもその電圧、電流および電力が制御できないものである。
【０００３】
特許第98218196.5号、高密度ガス放電ランプ用順応性制御器はインダクタンスコイルおよび導電能力によって光変化をなす。エネルギー消費、音、出力係数、電圧、電流そして起動の従来の誘電子様の性能のように、これはエネルギー消費が多く、干渉がひどく、かつその出力、電圧および電流が回路の電圧変動の影響を受けやすいので、高出力ガス放電ランプに応用するのは適当でない。
【０００４】
特許第01264335.1号、高出力ガス放電ランプを制御するための高出力係数電流安定装置が、放電ランプの出力係数を上げることが可能であるあらゆる種類の電流安定装置をまがりなりにも提供しており、エネルギーを節約し、コストが低く、照明品質が高いもので、しかも、長寿命である。しかし、ランプの出力が大きいと効果的有効に作動しない。パルス時間およびパルス振幅が不十分なために、外部電圧変動があると、ランプは起動困難となり、発光不可能にさえなる。高出力起動開始照明回路が欠けているので、この電流安定装置は高出力ガス放電ランプに応用するのはその安定性と信頼性に乏しいため不適切である。
【本発明の説明】
【０００５】
本発明の解決されるべき技術的問題は高出力ガス放電ランプ用の制御器を提供する以下のようなものである。すなわち、それは重量が軽く容積もコンパクトなだけでなく、その回路が単純であり、そのコストも低く、部品数がより少なく、かつその取付けが極めて容易なものである。しかも、その運転波動形態はひずみが少なくかつ一定の電流、電圧および出力で着実に安定して作動可能である。これは高出力ガス放電ランプに応用するのに特にふさわしいものである。
【０００６】
前記問題を解決するために、本発明の技術的解決策は以下の通りである。
【０００７】
高出力ガス放電ランプ用電気制御器は、濾光回路、整流回路、出力係数切替回路、駆動逆変換および出力制御回路、起動開始保護回路、順番に連結される出力調和回路および付帯出力供給回路から構成され、その特色は、出力係数切替回路が切替管Ｑ１および誘電子Ｌ４とそれぞれ連結する厚膜集積ブロックＩＣ１によって形成されることにあり、該切替管Ｑ１がダイオードＤ２および抵抗Ｒ４、Ｒ３と連結され、前記出力逆変換制御部の駆動回路は、抵抗Ｒ４、Ｒ３および電圧調整管ＺＤ３と連結される切替管Ｑ３と連結する厚膜集積回路ＩＣ２、電圧調整管ＺＤ１、ＺＤ２、抵抗Ｒ９，Ｒ１０，変圧器Ｔ２、および静電容量Ｃ８と連結される切替管Ｑ２によって形成され、前記起動開始保護回路は、静電容量Ｃ１０、シリコン制御されるＳＣＲ、ダイオードＤ４、静電容量Ｃ９、Ｃ１１、誘電子Ｌ５および継電器ＪＴと連結する厚膜集積回路ＩＣ３によって形成されるもの。
【０００８】
技術状況と比較して、本発明は以下のような利点がある。すなわち、本発明はランプの電気構造部全体を明るくするよう５０ヘルツ交流電流の電力供給を３０キロヘルツも高い周波数の交流電力に変換する。これは容積がコンパクトで、その重量は従来の制御器重量のおよそ１／４しかすぎなく、しかもその出力係数が高くて１に近い。複数レベルの共通モードを採用して、差分モード濾光板の該濾光回路はスイッチのオンオフの切替え中に生じる電磁気、輻射導電干渉を下げることが可能で、入力供給汚染によって引き起こされる制御器への干渉も寄せつけない。これはＥＩＥＣＥＥ（電気設備試験および認定に関するユーロＩＥＣ統一規格）による。本発明は３つの統合回路を要するとともに、この点が高集積度で、部品点数をより少なく、回路を単純にしかつ低コストにする。集積ブロック用の出力を供給する付帯出力供給回路は、電力供給が変圧器および電圧調整管を通過後に動き、これによって高い安定性と信頼性を有する。切替管Ｑ３を作動させる集積ブロックＩＣ２によって、作動回路が単純となり、ひずみが小さく、一定電流、一定電圧、一定出力で動くことが可能となるとともに、短回路、開放回路および異常条件の下でも着実に動く能力をもつことになる。これは、また特別な起動開始回路も有する。これによって、高出力ガス放電ランプに応用されるのに特にふさわしいものとなるとともに、高出力係数、長寿命、および高い照明品質を有するもので、これは電磁気両立性標準と環境保護ニーズによるものである。
【特定実施例の説明】
【０００９】
以降で、本発明の好ましい実施例が添付図面を参照して詳細に説明されよう。
【００１０】
ブロック１は濾光回路である。スイッチが入った途端に、サージ電圧が回路に生じる。ピエゾレジスターＲ１が過渡的なサージ電圧を吸収できるとともに、回路を過渡的な高電圧の衝撃から保護し、ＮＴＣ熱レジスターＲ２が電力供給の過渡的なサージ電流を抑えるのに利用されるとともに、スムースな起動をもたらす。静電容量Ｃ１、Ｃ２、Ｃ３、Ｃ４および誘電子Ｌ１、Ｌ２、Ｌ３からなる複数レベルの共通モード、差分モード濾光板が電磁気的で、輻射され、かつ導電されるスイッチの切替え中に生ずる干渉を少なくするとともに、入力電力供給制御器への干渉をはねのけて相互に作用しあう。
【００１１】
濾光回路１は位相導電体によってＬ端からＦＵ保護管に連結され、ＦＵ保護管の他端はＲ１、Ｃ１およびＬ１の第１端に連結され、ゼロ導電体ＮはＲ１、Ｃ１、およびＬ１の第３端に連結され、Ｌ１の第２端はＣ２およびＬ２の第１端に連結され、Ｃ２の他端はＬ１の第４端に連結され、Ｌ２の第２端はＣ３およびＬ３の第１端に連結され、Ｌ２の第４端はＣ４およびＬ３の第３端に連結され、Ｃ３の他端はＣ４の他端に連結されるとともにアースされる。
【００１２】
ブロック２は整流回路Ｄ１であり、Ｃ６によって濾光された後の回路を提供するブリッジ整流器が交流を直流に変えるために利用される。
【００１３】
整流回路２はＬ３の第２端がＲ２の１端および変圧器Ｔ１の第１端に連結され、Ｒ２の他端がＤ１の第１端に連結され、Ｄ１の第３端がＣ１３ｘ３の陰極に連結され、Ｄ１の第４端がＩＣ１の第２ピン等に連結され、Ｌ３の第４端がＤ１の第２端に連結され、その後、変圧器２の第２端に連結されるものである。
【００１４】
ブロック３は出力係数切替回路ＩＣ１であり、これは厚膜集積回路である。その主な機能は出力係数を上げるとともに、Ｑ１の電圧および電流を制御することである。Ｌ４の補助巻きからサンプリングされ、電流信号はＩＣ１の第５ピンに送られ、Ｄ２とＣ７の交差部からサンプリングされ電圧信号がＩＣ１の第１ピンに送られるとともに、Ｒ４からサンプリングされるフィードバック信号がＩＣ１の第６ピンに送られる。出力供給切替平行接合部は電圧押し上げ誘電子Ｌ４からなり、場効果トランジスターＱ１、Ｑ２が整流された２００ボルト直流電流を３９５ボルト直流電流まで押し上げる。濾光板をスムースにした後、Ｃ７がさらに脈動電流を減少させる。充電と放電のピーク電流を吸収する放電抵抗Ｒ５が蓄電器の許容差をバランスさせる。
【００１５】
出力係数切替回路３は、ＩＣ１の第１ピンがダイオードＤ２の陽極、Ｒ５およびＣ５の陽極に連結されるとともに、Ｑ２のＤ電極にも連結され、ＩＣ１の第２ピンがＣ６、Ｄ１の第４端およびＬ４の第１端に連結され、ＩＣ１の第４ピンがＲ３の他端に連結され、Ｑ１のＳ電極がＲ４の１端に連結され、Ｒ４の他端がＲ５の１端に連結され、Ｃ７の陰極がＲ６の１端に連結され、ＩＣ１の第７ピンがＲ１３等に連結され、Ｌ４の第２端がＤ２の陰極およびＱ１のＤ電極に連結されるものである。
【００１６】
ブロック４は駆動逆変換部および出力制御回路であり、ＩＣ２は駆動部および出力制御用の厚膜集積回路である。ＷＲ電位計によって得られる信号、電流サンプリング抵抗Ｒ６からのＲ７およびＣ１４は、ＩＣ２の第１および第３ピンにアクセスし、ＩＣ２の中で比較される。比較信号はＩＣ２に送られ、第４および第５の出力信号を制御する。Ｃ８は結合能力であり、Ｔ２が駆動変圧器である。Ｒ８およびＲ９が電流制限抵抗となる。Ｒ１０およびＲ１１はクランプ抵抗であり、ＺＤ１、ＺＤ２、ＺＤ３電圧制御ダイオードは前方向および後方向の場効果トランジスターＱ２、Ｑ３のＧ電極を保護する。Ｑ２およびＱ３は半ブリッジ切替回路からなり、これは電球向けの供給電力の約３０ヘルツの交流電圧に直流実効電圧を変換する。ＷＲ電位計のＢＣ端はＣ１４およびＲ７に連結され、ＷＲ電位計を調整することによって、出力はわずかなＷから千単位のＷまで調整可能である。
【００１７】
駆動逆変換および出力制御回路４は、Ｒ７の他端がＲ６の他端、Ｒ４およびＲ５、Ｃ７ｘ２の陰極、ＩＣ１の第３ピン、Ｌ４の第３端、Ｃ６の他端、電圧調整管ＺＤ４の陰極、Ｃ１３ｘ３およびＣ１８の陰極、およびブリッジ整流器の第３端に連結され、ＩＣ２の第３ピンがＣ１４の他端、Ｒ６の他端、Ｔ２の第２端、Ｃ１８の陰極、Ｒ１１およびＺＤ３の陰極に連結されることからなり、Ｑ３のＳ電極およびＣ１５の１端が一体に連結され、ＩＣ２の第２および第６ピンがＣ１８の陽極に連結され、ＩＣ２の第４ピンがＣ８に連結され、Ｃ８の他端がＴ２の第１端に連結され、ＩＣ２の第５端がＲ８に連結され、Ｒ８の他端がＲ１１、ＺＤ３の陽極およびＱ３のＧ電極に連結され、Ｔ２の第３端がＲ９に連結され、Ｒ９の他端はＲ１０およびＺＤ１の陽極、およびＱ２のＳ電極に連結され、Ｔ２の第４端がＲ１０の他端、ＺＤ２の陽極、Ｑ２のＧ電極、Ｑ３のＤ電極、Ｃ１５およびＣ１２に連結され、ＺＤ１の陰極がＺＤ２の陰極に連結され、
Ｑ２のＤ電極がＲ１２およびＤ２の陽極に連結される。
【００１８】
ブロック５は起動開始保護回路であり、ＩＣ３は起動開始厚膜集積回路である。高周波数交流電流がＲ１２を通じてＣ１１を充電し、その後、Ｃ１１が放電する。放電電圧は補助巻きから電球向けの起動電圧を供給する主巻きに結合される。電球が点灯すると、ＪＴ継電器が実効電圧を自動的に切断し、Ｃ９、Ｃ１１およびＳＣＲは出力を失い、回路は電圧安定化段階に入る。Ｃ１５はスパイク状パルスを吸収するとともに、Ｃ１０はＲＣ時間一定の静電容量である。
【００１９】
起動開始保護回路５は、ＩＣ３の第１ピンがＳＣＲのＧ電極に連結され、ＩＣ３の第２ピンがＳＣＲのＴ電極、Ｃ９、Ｃ１１およびＪＴのＢ電極に連結され、ＩＣ３の第３ピンがＪＴのＧ電極およびＤ４の陽極に連結される。ＩＣ３の第４ピンがＪＴのＤ電極およびＤ４の陰極に連結され、その後、ＳＣＲのＳ電極、Ｃ１０ｘ２の陰極、Ｒ９の他端、Ｌ５の第２および第４端に連結され、Ｌ５の第１端がＣ１１の他端に連結され、ＩＣ３の第５ピンがＣ１０ｘ２の陽極に連結され、ＩＣ３の第６ピンがＣ１８の陽極等に連結され、ＪＴのＡ電極がＲ１２ｘ２に連結され、Ｒ１２の他端がＱ２のＤ電極、Ｄ２の陽極等に連結されることからなる。
【００２０】
ブロック６は付帯出力回路である。Ｔ１によって変換されるとともにＤ３によって整流されるブロック１および２からのスイッチを入れると、これは、電圧制御ダイオードによって安定化されるＲ１３およびＣ１３からなるＲＣ回路によって濾光される濾光回路から１５ボルトの電圧を出力し、該出力はその後ＩＣ１、ＩＣ２およびＩＣ３向けに電流を供給する各集積回路に送られる。
【００２１】
付帯出力供給回路６は、変圧器Ｔ１の第１端がＬ３の第２端およびＲ２に連結され、Ｔ１の第２端がＤ１の第２端およびＬ３の第４端に連結され、Ｔ１の第３端はブリッジ整流器Ｄ３の第２端に連結され、Ｔ１の第４端はＤ３の第１端、Ｄ３の第３端およびＤ１の第３端に連結され、Ｃ１３ｘ３およびＣ１８の陰極、電圧調整管ＺＤ４の陰極、ＩＣ１の第３ピン、Ｌ４の第３端、Ｒ４の陰極、Ｃ７Ｘ２、Ｒ６、Ｒ７はアースルートに共通な事前位置を形成するよう一体に連結され、Ｄ３の第４端はＲ１３に連結され、Ｒ１３の他端はＣ１３ｘ３の陽極に連結され、ＺＤ４の陽極、ＩＣ１の第７ピン、ＩＣ２の第２、第６ピン、ＩＣ３の第６ピンは低圧作動出力供給ルートを形成するよう一体に連結されることからなる。
【００２２】
ブロック７は出力調和回路であり、これは静電容量Ｃ１３、ＩＤ電球および誘電子補助巻きＬ１５からなる。ＩＤ電球は冷陰極発光管および多くのタイプのジスプロジウム、インジュウム、無音、ナトリウム、金属ハロゲン電球、その他が可能である。
【００２３】
出力調和回路７は、Ｃ１２がＣ１５、Ｑ２のＳ電極、Ｑ３のＤ電極等に連結され、Ｃ１２の他出力端がＩＤ電球に連結され、Ｌ５の第４端がＬ５の第２端、Ｃ９、ＳＣＲのＳ電極等に連結され、Ｌ５の第３出力端がＩＤ電球の他端に連結されることからなる。
【００２４】
スイッチが入れられた後、５０ヘルツ  交流電流はブロック１から濾光回路にアクセスするとともに、Ｒ１が電力供給からの過渡的なサージ電圧を吸収する。３つのレベルの共通モード、Ｌ１〜Ｌ３、Ｃ１〜Ｃ３からなる差分モード組合せ濾光板により、米国、欧州その他の国際標準に応じた電磁気両立性をなすよう入力電力供給および局部装置からの干渉を寄せつけない。
【００２５】
濾光された後、供給電力は２つに分割され、ひとつはブロック６にアクセスし、残りはブロック２にアクセスするとともに、その後約２００ボルトの直流に整流される。
【００２６】
ブロック３は電圧安定化、電流安定化および切替管Ｑ１の制御による出力係数校正を実現するものである。
【００２７】
入力直流電圧信号はＩＣ２の第２ピンに送られるとともに、出力直流信号はＩＣ１の第１ピンに送られる。入力供給電力の電圧が変化する場合、入力および出力電圧信号はＩＣ１と比較される。ＩＣ１のベンチマークが反応すると同時に、ＩＣ１の第４ピンが電圧信号の結果を出力し、これが電圧安定化をなすよう切替管を制御する。
【００２８】
直流電流はＬ４の第１端から入力し、その第２端から出力する。Ｌ４の第３および第４端に誘電されて、電流信号はＩＣ１の工程と分析を行う。その後、ＩＣ１の第４ピンは電流安定化をなすよう制御信号を出力する。
【００２９】
Ｌ４、Ｑ１、ＺＤ１を通じて、作用電圧が増し、電圧の位相が増し、電圧位相は電流位相を追うとともに、出力係数は１近くまで増える。供給電力の安定した出力がブロック４に送られる。
【００３０】
ブロック４は電圧駆動変換および出力制御を実行するものである。ＩＣ２は第４ピンから内部に生ずる高周波数振動信号を出力する。Ｃ８によって結合されるとともにＴ２によって調和されて、出力信号はＱ２を駆動させ続ける。第５ピンはＲ８を通じて電流を制限してＱ３に直接、結合するとともに、Ｑ３を駆動させ続ける。今度は周期の上部半分および下部半分で作用して、Ｑ３は安定した直流電圧を高周波数交流電圧に逆変換するとともに変換周波数がＩＣ２に設定される。
【００３１】
出力負荷あるいは電球の出力が変化する場合、全回路の電流が、当然、変化する。Ｒ６は装置全体の電流サンプリング抵抗である。サンプリング信号はＲ７を通じてＲ６の１端から送られる。Ｒ６の他端上の信号はＩＣ３の第３ピンに送られる。Ｒ７およびＣ１４の接続点を通過する信号の一部はＷＲに送られる。ＷＲによって調整されて、信号はＴＣ３の第１ピンに送られる。ＩＣ３での作用の後、信号はＱ２およびＱ３の出力値を制御するためにＩＣ２の第４ピンから出力される。この方法を通じて、回路の負荷能力が負荷の変化に応じて変化する。
【００３２】
ブロック５は始動開始保護回路である。高周波数交流供給電力がブロック７および加減蓄電器Ｃ１２を通じてＱ２およびＱ３によって管に送られる。Ｒ１２によって制御される高圧直流が、通常、接触が閉鎖されるＪＴを通じてＣ１１を充電する。該充電を終えた後、Ｃ１１はＬ５を通して放電する。この時点で、Ｌ５の第１および第２ピン間の巻き線には誘導電動力が生じ、これが管を明るくする、より高圧の開始電圧を生むよう第３および第４ピン間の巻き線に誘電する。管が明るくなると、ＪＴのＣおよびＤ端は電気を帯びて、ＪＴが引きつけられるとともに、起動開始保護回路が閉じる。もし管がポッポと音を立てるか、負荷が摩耗破損するならば、ＪＴはまだ閉じているとともに、Ｃ１１は開始電圧にならないので、放電作用は起きず、Ｌ５には電圧が誘導されず、ランプは点灯不可能となり回路は保護される。出力の変動および変動しやすい管の特徴のため、ＩＣ３の信号を切替える一連の振動がある。ＩＣ３の第１および第２ピンを通じてこれらの信号によるアクセスがなされて、制御されるシリコンがパルス列を生み、これが電球を連続して点灯させる。もし、ランプ保持器内の異物、頭部汚れ、ガラス殻の割れあるいは何らかの破損があるならば、Ｃ９は信号をＩＣ３にフィードバックし、ＩＣ３はパルス列の出力を止めるとともに、これによって回路が保護される。該破損部が除去された後、ＩＣ３が再び起動する。
【００３３】
電圧を操作する入力は１５０ボルトから２５０ボルトまで変動し、作用周波数は５０ヘルツから６０ヘルツまで変動するとともに、作用出力は１５０ワットから２０００ワットまで変動する。
【図面の簡単な説明】
【００３４】
【図１】：本発明のブロック図である。
【図２】：本発明の回路図である。
【図１】
2006528406.tif 000003
【図２】
2006528406.tif 000004
【国際調査報告】
2006528406.tif 000005
2006528406.tif 000006
2006528406.tif 000007
2006528406.tif 000008